【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
原稿画像を読み取る読取手段と、
白基準部材を前記読取手段により読み取って得られたシェーディング補正データによって、前記原稿画像を前記読取手段により読み取って得られた原稿画像データのシェーディング補正を行うシェーディング補正手段と、
少なくとも２つの異なる濃度基準を有する濃度基準原稿を前記読取手段の主走査方向の複数位置にてそれぞれ読み取って得られた読取データに基づいて、前記読取手段の主走査方向の複数位置の読取特性差を低減するように前記シェーディング補正データを補正するデータ補正手段と、を有することを特徴とする画像読取装置。
【請求項２】
前記シェーディング補正データは、画素ごとにゲイン値とオフセット値を有し、
前記データ補正手段は、前記ゲイン値と前記オフセット値をそれぞれ補正することを特徴とする請求項１記載の画像読取装置。
【請求項３】
原稿の表面画像を読み取る第１の読取手段と、
前記原稿の裏面画像を読み取る第２の読取手段と、
白基準部材を前記第１及び第２の読取手段により読み取って得られた第１及び第２のシェーディング補正データによって、前記原稿の前記表面画像及び前記裏面画像をそれぞれ前記第１及び第２の読取手段により読み取って得られた第１及び第２の原稿画像データのシェーディング補正をそれぞれ行うシェーディング補正手段と、
少なくとも２つの異なる濃度基準を有する濃度基準原稿を前記第１及び第２の読取手段によりそれぞれ読み取って得られた読取データに基づいて、前記第１及び第２の読取手段の読取特性差を低減するように前記第１及び第２のシェーディング補正データを補正するデータ補正手段と、を有することを特徴とする画像読取装置。
【請求項４】
前記シェーディング補正データは、画素ごとにゲイン値とオフセット値を有し、
前記データ補正手段は、前記ゲイン値と前記オフセット値をそれぞれ補正することを特徴とする請求項３記載の画像読取装置。
【手続補正２】
【補正対象書類名】明細書
【補正対象項目名】発明の名称
【補正方法】変更
【補正の内容】
【発明の名称】画像読取装置  
【手続補正３】
【補正対象書類名】明細書
【補正対象項目名】０００１
【補正方法】変更
【補正の内容】
【０００１】
本発明は、デジタル複写機、ファクシミリ装置、スキャナ等の画像読取装置に関し、特に、原稿の両面を同時に一度の搬送で読み取る両面同時読み取り構成を持った画像読取装置に関する。
【手続補正４】
【補正対象書類名】明細書
【補正対象項目名】０００８
【補正方法】変更
【補正の内容】
【０００８】
しかし、シェーディング補正を行っても主走査方向の読み取り特性差や表裏の読み取り特性差は存在する。従って、上記特許文献３に開示された技術では、表裏の読み取り部で読み取った原稿画像の明るさを同じにすることはできたとしても、主走査方向の読み取り特性差を低減することも、表裏の読み取り特性差を低減することもできない。
【手続補正５】
【補正対象書類名】明細書
【補正対象項目名】０００９
【補正方法】変更
【補正の内容】
【０００９】
上述のような、セキュリティ技術を取り込んだ紙ドキュメントの読み取りには厳密な面内一様性が要求されるため、上記のような読み取り特性差を補正できない補正技術では対応は不十分であり、また、原稿表裏で読み取り特性が大きく異なる場合にも対応できないといった問題点があった。
【手続補正６】
【補正対象書類名】明細書
【補正対象項目名】００１０
【補正方法】変更
【補正の内容】
【００１０】
さらに、流し読みで両面原稿を読み取る際には、表面と裏面の読み取り値が異なることで、白黒原稿の場合は濃度差、カラー原稿の場合は色差が発生することが問題となる。
【手続補正７】
【補正対象書類名】明細書
【補正対象項目名】００１１
【補正方法】変更
【補正の内容】
【００１１】
本発明の目的は、白基準部材に基づくシェーディング補正だけでは補正できない読み取り特性差を低減することができる画像読取装置を提供することにある。
【手続補正８】
【補正対象書類名】明細書
【補正対象項目名】００１２
【補正方法】変更
【補正の内容】
【００１２】
上記目的を達成するために、請求項１記載の画像読取装置は、原稿画像を読み取る読取手段と、白基準部材を前記読取手段により読み取って得られたシェーディング補正データによって、原稿画像を前記読取手段により読み取って得られた原稿画像データのシェーディング補正を行うシェーディング補正手段と、少なくとも２つの異なる濃度基準を有する濃度基準原稿を前記読取手段の主走査方向の複数位置にてそれぞれ読み取って得られた読取データに基づいて、前記読取手段の主走査方向の複数位置の読取特性差を低減するように前記シェーディング補正データを補正するデータ補正手段と、を有することを特徴とする。
【手続補正９】
【補正対象書類名】明細書
【補正対象項目名】００１３
【補正方法】変更
【補正の内容】
【００１３】
請求項２記載の画像読取装置は、請求項１記載の画像読取装置において、前記シェーディング補正データは、画素ごとにゲイン値とオフセット値を有し、前記データ補正手段は、前記ゲイン値と前記オフセット値をそれぞれ補正することを特徴とする。
【手続補正１０】
【補正対象書類名】明細書
【補正対象項目名】００１４
【補正方法】変更
【補正の内容】
【００１４】
請求項３記載の画像読取装置は、原稿の表面画像を読み取る第１の読取手段と、前記原稿の裏面画像を読み取る第２の読取手段と、白基準部材を前記第１及び第２の読取手段により読み取って得られた第１及び第２のシェーディング補正データによって、前記原稿の前記表面画像及び前記裏面画像をそれぞれ前記第１及び第２の読取手段により読み取って得られた第１及び第２の原稿画像データのシェーディング補正をそれぞれ行うシェーディング補正手段と、少なくとも２つの異なる濃度基準を有する濃度基準原稿を前記第１及び第２の読取手段によりそれぞれ読み取って得られた読取データに基づいて、前記第１及び第２の読取手段の読取特性差を低減するように前記第１及び第２のシェーディング補正データを補正するデータ補正手段と、を有することを特徴とする。
【手続補正１１】
【補正対象書類名】明細書
【補正対象項目名】００１５
【補正方法】変更
【補正の内容】
【００１５】
請求項４記載の画像読取装置は、請求項３記載の画像読取装置において、前記シェーディング補正データは、画素ごとにゲイン値とオフセット値を有し、前記データ補正手段は、前記ゲイン値と前記オフセット値をそれぞれ補正することを特徴とする。
【手続補正１２】
【補正対象書類名】明細書
【補正対象項目名】００１６
【補正方法】変更
【補正の内容】
【００１６】
請求項１記載の画像読取装置は、少なくとも２つの異なる濃度基準を有する濃度基準原稿を読取手段の主走査方向の複数位置にてそれぞれ読み取って得られた読取データに基づいて、読取手段の主走査方向の複数位置の読取特性差を低減するようにシェーディング補正データを補正するデータ補正手段を有する。これにより、白基準部材に基づくシェーディング補正だけでは補正できない主走査方向の読み取り特性差を低減することができる。
【手続補正１３】
【補正対象書類名】明細書
【補正対象項目名】００１７
【補正方法】変更
【補正の内容】
【００１７】
請求項３記載の画像読取装置は、少なくとも２つの異なる濃度基準を有する濃度基準原稿を第１及び第２の読取手段によりそれぞれ読み取って得られた読取データに基づいて、第１及び第２の読取手段の読取特性差を低減するように第１及び第２のシェーディング補正データを補正するデータ補正手段を有する。これにより、白基準部材に基づくシェーディング補正だけでは補正できない表裏の読み取り特性差を低減することができる。
【手続補正１４】
【補正対象書類名】明細書
【補正対象項目名】００６６
【補正方法】変更
【補正の内容】
【００６６】
【表１】
2008078798.tif 000001
【手続補正１５】
【補正対象書類名】明細書
【補正対象項目名】００６７
【補正方法】変更
【補正の内容】
【００６７】
のように、各値を設定すると左端と中央の間のゲイン補正係数ａ及び黒オフセット補正係数ｂは次式により求めることができる。
【手続補正１６】
【補正対象書類名】明細書
【補正対象項目名】００８５
【補正方法】変更
【補正の内容】
【００８５】
黒オフセット補正係数、ゲイン補正係数の計算をＲＧＢ各色、各領域について行う（ステップＳ１２０２、Ｓ１２０３）。上記（２）、（３）式を使用する。具体値に対してシェーディング補正データの補正を行う（ステップＳ１２０４）。その結果は、図１３のようになる。そして処理を終了する。
【手続補正１７】
【補正対象書類名】明細書
【補正対象項目名】００９３
【補正方法】変更
【補正の内容】
【００９３】
表裏の読み取り特性を合わせ込むためのＰＯＩＮＴ１からＰＯＩＮＴ２間、ＰＯＩＮＴ２からＰＯＩＮＴ３間、ＰＯＩＮＴ３からＰＯＩＮＴ４間でのゲイン補正係数ａ１〜ａ３、黒オフセット補正係数ｂは、下表のように値を定めると次式（４）〜（６）により求められる。
【手続補正１８】
【補正対象書類名】明細書
【補正対象項目名】００９４
【補正方法】変更
【補正の内容】
【００９４】
【表２】
2008078798.tif 000002